(57)【要約】【課題】本発明は、送信先特定に必要な情報を得ることができ、メールヘッダ全体を印字してもメールの内容が明確になり得るメール受信装置を提供することを目的とする。【解決手段】本発明のメール受信装置は、メールを受信するメール受信手段と、該メール受信手段により受信したメールを印字するメール印字手段とを有し、メール印字手段は、少なくとも、受信したメールのメールヘッダ部をメール本文の後に印字する。【選択図】        図１
2004187026.tif 000002
【特許請求の範囲】
【請求項１】
メールを受信するメール受信手段と、該メール受信手段により受信したメールを印字するメール印字手段とを有するメール受信装置において、
前記メール印字手段は、少なくとも、受信したメールのメールヘッダ部をメール本文の後に印字することを特徴とするメール受信装置。
【請求項２】
前記メール印字手段は、メール本文の後にエンベロープのＭＡＩＬ  ＦＲＯＭを印字する請求項１記載のメール受信装置。
【請求項３】
前記メール印字手段は、件名と送信者名のみ先頭ページに印字する請求項１又は２に記載のメール受信装置。
【発明の詳細な説明】
【０００１】
【発明の属する技術分野】
本発明はメール受信装置に関し、詳細にはメール受信機能及びメール印字機能を持つインターネットファクシミリ装置に関する。
【０００２】
【従来の技術】
【特許文献１】特開２００１−２８５６１８号公報
近年、インターネットワークを介してメッセージを伝達する手段として、電子メールが普及している。このような電子メールにおいて、ユーザは電話公衆回線（ＰＳＴＮ）やＬＡＮ（Ｌｏｃａｌ  Ａｒｅａ  Ｎｅｔｗｏｒｋ）を介して、メッセージ、添付ファイル等のデータを他のユーザと送受信できる。更に、メール受信機能及びメール印字機能を持つインターネットファクシミリ装置、携帯端末装置や携帯電話などからも利用することも一般的になってきている。このような電子メール機能を有する装置に関する多種の提案がなされているが、その一つとして上記特許文献１に記載されているインターネットファクシミリ装置は、受信したファクシミリデータに、受信したメールデータをヘッダデータとして付加し、ヘッダデータが付加されたファクシミリデータを印刷可能なデータに変換して印刷出力するものである。また、ヘッダデータは縮小されて印刷される。
【０００３】
【発明が解決しようとする課題】
しかしながら、上記特許文献１によれば、メールヘッダの一部の情報しか印字されない。また、昨今のＳＰＡＭメールにおいて、メールヘッダＦＲＯＭ情報は当てにならないことが多く、送信先の特定するためにはＲｅｃｅｉｖｅｄなども必要である。しかし、ヘッダ情報全てを先頭ページに印字するとメール本文が後ろの方になってしまいどのような内容のメールなのかがわかりづらくなってしまう。また、ペーパレス設定になっており、ＷＥＢ経由で受信蓄積した文書を見る場合にも、ヘッダ情報ではなく、本文の先頭ページのサムネイルが見える方が望ましい。
【０００４】
本発明はこれらの問題点を解決するためのものであり、送信先特定に必要な情報を得ることができ、メールヘッダ全体を印字してもメールの内容が明確になり得るメール受信装置を提供することを目的とする。
【０００５】
【課題を解決するための手段】
前記問題点を解決するために、本発明のメール受信装置は、メールを受信するメール受信手段と、該メール受信手段により受信したメールを印字するメール印字手段とを有し、メール印字手段は、少なくとも、受信したメールのメールヘッダ部をメール本文の後に印字することに特徴がある。よって、ＳＰＡＭメールの送信先特定に必要な情報を得ることができ、メールヘッダ全体を印字しても、メールの内容がわかりづらくなることがない。従って、送信先特定に必要な情報を得ることができ、メールヘッダ全体を印字してもメールの内容が明確になり得る。
【０００６】
また、メール印字手段は、メール本文の後にエンベロープのＭＡＩＬ  ＦＲＯＭを印字することにより、本当の送信元がわかる。
【０００７】
更に、メール印字手段は、件名と送信者名のみ先頭ページに印字することにより、ヘッダ全体の情報を最終ページに印字してもメールヘッダ内の重要な情報である件名と送信者を判断しやすい。
【０００８】
【発明の実施の形態】
本発明のメール受信装置は、メールを受信するメール受信手段と、該メール受信手段により受信したメールを印字するメール印字手段とを有し、メール印字手段は、少なくとも、受信したメールのメールヘッダ部をメール本文の後に印字する。
【０００９】
【実施例】
図１は本発明の一実施例に係るメール受信装置の構成を示すブロック図である。なお、図１に示す装置は、本実施例のメール受信装置としてインターネットファクシミリ装置を例にしたものである。同図において、本実施例のメール受信装置の一例であるインターネットファクシミリ装置１０は、スキャナ１１、ファクシミリ制御部１２、プロッタである書込部１３、操作表示部１４、不揮発性メモリ１５、メモリ１６、画情報圧縮再生部（以下ＤＣＲと略す）１７、通信制御部（以下ＣＣＵと略す）１８、ＬＡＮ制御部１９を含んで構成され、各構成要素は内部バス２０で接続されている。また、不揮発性メモリ１５には画情報ファイルが記憶されるが、ハードディクスなどでもよい。ペーパレス設定になっている場合は印字イメージでここに蓄積する。更に、メモリ１６には、ＬＡＮ制御部１９より受信したメールやＳＭＴＰプロトコルで受け取ったエンベロープのＭＡＩＬ  ＦＲＯＭが記憶される。ＬＡＮ制御部１９は、ＴＣＰ／ＩＰ，ＳＭＴＰ，ＰＯＰ３なので通信プロトコル制御を行う。このような構成を有する本実施例のメール受信装置の一例であるインターネットファクシミリ装置の動作としては、ＬＡＮ制御部１９より受信し、メモリ１６に記憶したメールを解析し、印字イメージをメモリ１６上に作成する。メモリ１６上に作成された印字イメージは書込部１３により印字され紙に出力される。ペーパレス設定になっている場合は、書込部１３に出力する替わりに印字イメージをＤＣＲ１７で圧縮し、不揮発メモリ１５に蓄積する。なお、操作表示部１４には、メール印字の設定として「ヘッダを印字しない」、「件名・送信者名のみ印字」、「ヘッダを印字する」が表示される。
【００１０】
ここで図２はエンベロープとメールメッセージの関係を示す図である。図３〜図５は印字結果例を示す図である。
【００１１】
図６は図３の印字結果例の印字イメージ作成動作を示すフローチャートである。同図において、先ず図３に示すようにメール本文を印字する（ステップＳ１０１）。続けて、メール本文が終わって図３に示すメールヘッダ部を印字する（ステップＳ１０２）。
【００１２】
図７は図４の印字結果例の印字イメージ作成動作を示すフローチャートである。同図において、先ず図４に示すようにメール本文を印字する（ステップＳ２０１）。次に、メール印字の設定が「ヘッダを印字しない」という設定ならば（ステップＳ２０２；ＮＯ）、また「件名・送信者名のみ印字」という設定ならば（ステップＳ２０３；ＹＥＳ）、ここで動作を終了する。一方、メール印字の設定が「ヘッダを印字する」という設定ならば（ステップＳ２０２；ＹＥＳ）、また「件名・送信者名のみ印字をしない」という設定ならば（ステップＳ２０３；ＮＯ）、図１のメモリ１６から受信時にエンベロープのＭＡＩＬ  ＦＲＯＭを取り出し、図４に示すようにｅｎｖｅｌｏｐｅ−ＦＲＯＭとして印字する（ステップＳ２０４）。そして、図４に示すようにメールヘッダ部を印字する（ステップＳ２０５）。
【００１３】
図８は図５の印字結果例の印字イメージ作成動作を示すフローチャートである。同図において、先ずメール印字の設定が「ヘッダを印字する」という設定であれば（ステップＳ３０１；ＮＯ）、ヘッダ部分のＳｕｂｊｅｃｔとＦＲＯＭの内容を取り出し、図５に示すように件名・送信者名として印字する（ステップＳ３０２）。ヘッダを印字しないという設定ならば（ステップＳ３０１；ＹＥＳ）、ステップＳ３０３へ移行する。そして、図５に示すようにメール本文を印字する（ステップＳ３０３）。次に、メール印字の設定が「ヘッダを印字しない」という設定ならば（ステップＳ３０４；ＮＯ）、また「件名・送信者名のみ印字」という設定ならば（ステップＳ３０５；ＹＥＳ）、ここで動作を終了する。一方、メール印字の設定が「ヘッダを印字する」という設定ならば（ステップＳ３０４；ＹＥＳ）、また「件名・送信者名のみ印字しない」という設定ならば（ステップＳ３０５；ＮＯ）、図１のメモリ１６から受信時にエンベロープのＭＡＩＬ  ＦＲＯＭを取り出し、図５に示すようにｅｎｖｅｌｏｐｅ−ＦＲＯＭとして印字する（ステップＳ３０６）。そして、図５に示すようにメールヘッダ部を印字する（ステップＳ３０７）。
【００１４】
なお、本発明は上記実施例に限定されるものではなく、特許請求の範囲内の記載であれば多種の変形や置換可能であることは言うまでもない。
【００１５】
【発明の効果】
以上説明したように、本発明のメール受信装置は、メールを受信するメール受信手段と、該メール受信手段により受信したメールを印字するメール印字手段とを有し、メール印字手段は、少なくとも、受信したメールのメールヘッダ部をメール本文の後に印字することに特徴がある。よって、ＳＰＡＭメールの送信先特定に必要な情報を得ることができ、メールヘッダ全体を印字しても、メールの内容がわかりづらくなることがない。従って、送信先特定に必要な情報を得ることができ、メールヘッダ全体を印字してもメールの内容が明確になり得る。
【００１６】
また、メール印字手段は、メール本文の後にエンベロープのＭＡＩＬ  ＦＲＯＭを印字することにより、本当の送信元がわかる。
【００１７】
更に、メール印字手段は、件名と送信者名のみ先頭ページに印字することにより、ヘッダ全体の情報を最終ページに印字してもメールヘッダ内の重要な情報である件名と送信者を判断しやすい。
【図面の簡単な説明】
【図１】本発明の一実施例に係るメール受信装置の構成を示すブロック図である。
【図２】エンベロープとメールメッセージの関係を示す図である。
【図３】印字結果例を示す図である。
【図４】印字結果例を示す図である。
【図５】印字結果例を示す図である。
【図６】図３の印字結果例の印字イメージ作成動作を示すフローチャートである。
【図７】図４の印字結果例の印字イメージ作成動作を示すフローチャートである。
【図８】図５の印字結果例の印字イメージ作成動作を示すフローチャートである。
【符号の説明】
１０；インターネットファクシミリ装置、１１；スキャナ、
１２；ファクシミリ制御部、１３；書込部、１４；操作表示部、
１５；不揮発性メモリ、１６；メモリ、１７；ＤＣＲ、
１８；ＣＣＵ、１９；ＬＡＮ制御部、２０；内部バス。
【図１】
2004187026.tif 000003
【図２】
2004187026.tif 000004
【図３】
2004187026.tif 000005
【図４】
2004187026.tif 000006
【図５】
2004187026.tif 000007
【図６】
2004187026.tif 000008
【図７】
2004187026.tif 000009
【図８】
2004187026.tif 000010